(57)【要約】【課題】複数のテレビシステムを考慮しつつ、各放送局の正確なずれ量を設定でき、且つ設定に要する時間を短縮するオートチューニング方法を提供することである。【解決手段】チューナを所望の放送局の標準周波数に設定する第１のステップと、設定した標準周波数に映像信号があるか否かを判別する第２のステップと、映像信号がある場合又はチューナの設定の音声方式を変更した場合に、音声信号の有無を判別する第３のステップと、音声信号がある場合に、チューナの設定を記憶する第４のステップと、映像信号がない場合に、チューナの設定の音声方式を変更する第５のステップと、第２のステップにおいて映像信号がない場合には、標準周波数から−１．５ＭＨｚ，＋１．５ＭＨｚ，−３．０ＭＨｚ、又は＋３．０ＭＨｚずらした周波数に前記チューナの設定を変更して映像信号の有無を判別する第６のステップとを備えたオートチューニング方法とする。【選択図】図２
2005236761.tif 000002
【特許請求の範囲】
【請求項１】
テレビジョン信号受信装置で受信可能な放送局を自動で検索して設定するオートチューニング方法において、チューナを所望の放送局の標準周波数に設定する第１のステップと、
設定した標準周波数に映像信号があるか否かを判別する第２のステップと、前記映像信号がある場合又は前記チューナの設定の音声方式を変更した場合に、音声信号の有無を判別する第３のステップと、前記音声信号がある場合に、前記チューナの設定を最適チューニング値として記憶する第４のステップと、前記映像信号がない場合に、前記チューナの設定の音声方式を変更する第５のステップとを備えたことを特徴とするオートチューニング方法。
【請求項２】
前記第２のステップにおいて映像信号がない場合には、前記標準周波数から−１．５ＭＨｚ，＋１．５ＭＨｚ，−３．０ＭＨｚ，又は＋３．０ＭＨｚずらした周波数に前記チューナの設定を変更して映像信号の有無を判別する第６のステップを備えたことを特徴とする請求項１記載のオートチューニング方法。
【請求項３】
前記映像信号がある場合、ＡＦＴ出力電圧が閾値よりも上であるときは前記チューナの設定周波数を所定値上げ、ＡＦＴ出力電圧が前記閾値よりも下であるときは前記チューナの設定周波数を所定値下げ、前記閾値を上から下へ跨いだ場合、前記チューナの変更後の設定周波数を最適チューニング値とし、前記閾値を下から上へ跨いだ場合、前記チューナの変更直前の設定周波数を最適チューニング値とすることを特徴とする請求項１又は２記載のオートチューニング方法。
【請求項４】
請求項１〜３の何れかのオートチューニング方法を備えたテレビジョン信号受信装置。
【請求項５】
オートチューニングを実行させるためのメニューを備えたことを特徴とする請求項４記載のテレビジョン信号受信装置。
【請求項６】
設置時に最初に電源を投入した場合にオートチューニングを開始することを特徴とする請求項４記載のテレビジョン信号受信装置。
【発明の詳細な説明】
【技術分野】
【０００１】
本発明は、テレビジョン信号受信装置のオートチューニングに関するものである。
【背景技術】
【０００２】
テレビジョン信号は電波環境によってその周波数にずれが生じる。そのため近年のテレビジョン信号受信装置には、オートチューニング機能に、自動的に周波数のずれを吸収するＡＦＴ（Auto Fine Tuning）やＡＦＣ（Auto Fine Control）等が備えられている。周波数の多少のずれはＡＦＴで吸収し、正常な映像中間波を抽出することができる。ＡＦＴで吸収することができない程周波数がずれている場合は、チューナのプリセット値を正常な受信周波数から数ＭＨｚずらして設定し、ＡＦＴで吸収できなかった周波数が存在しないかを各チャンネル毎に調べるＡＦＣが機能する。
【０００３】
オートチューニングの一例として特許文献１が挙げられる。特許文献１のディジタル／アナログテレビジョン受信機では、オートチューニング時に例えば、３チャンネル、４チャンネル及び５チャンネルのように連続する３つのチャンネルについて、４チャンネルの周波数のずれ量を、３チャンネルのずれ量と５チャンネルのずれ量との平均値で決定する方式を用いている。
【特許文献１】特開２００２−１６５１５１号公報
【発明の開示】
【発明が解決しようとする課題】
【０００４】
しかしながら、特許文献１の方式では４チャンネルの周波数のずれ量を３チャンネルと５チャンネルのずれ量から算出しているので、正確な値ではない。
【０００５】
また、テレビジョン放送の音声方式（以下に、テレビシステムと記すことがある）は仕向地により異なる。例えば、中国ではＤ／Ｋ方式、Ｉ方式、Ｍ方式が混在している。しかしながら、特許文献１ではこのテレビシステムに関する記載はない。複数のテレビシステムを考慮した場合、オートチューニング時に全ての放送局について各テレビシステムの確認をしなければならないため時間が掛かる。
【０００６】
本発明は、複数のテレビシステムを考慮しつつ、かつ各放送局の正確なずれ量を設定でき、かつ設定に要する時間を短縮するオートチューニング方法を提供することを目的とする。また、該オートチューニング方法を備えたテレビジョン信号受信装置を提供することを目的とする。
【課題を解決するための手段】
【０００７】
上記目的を達成するために本発明は、テレビジョン信号受信装置で受信可能な放送局を自動で検索して設定するオートチューニング方法において、チューナを所望の放送局の標準周波数に設定する第１のステップと、設定した標準周波数に映像信号があるか否かを判別する第２のステップと、前記映像信号がある場合又は前記チューナの設定の音声方式を変更した場合に、音声信号の有無を判別する第３のステップと、前記音声信号がある場合に、前記チューナの設定を最適チューニング値として記憶する第４のステップと、前記映像信号がない場合に、前記チューナの設定の音声方式を変更する第５のステップとを備えたことを特徴とするものである。
【０００８】
また、前記第２のステップにおいて映像信号がない場合は、前記標準周波数から−１．５ＭＨｚ、＋１．５ＭＨｚ、−３．０ＭＨｚ、又は＋３．０ＭＨｚずらした周波数に前記チューナの設定を変更して映像信号の有無を判別する第６のステップを備えたことを特徴とするものである。
【０００９】
また本発明は、上記のオートチューニング方法において、前記映像信号がある場合にはＡＦＴ出力電圧が閾値よりも上であるときは前記チューナの設定周波数を所定値上げ、ＡＦＴ出力電圧が前記閾値よりも下であるときは前記チューナの設定周波数を所定値下げ、前記閾値を上から下へ跨いだ場合、前記チューナの変更後の設定周波数を最適チューニング値とし、前記閾値を下から上へ跨いだ場合、前記チューナの変更直前の設定周波数を最適チューニング値とすることを特徴とするものである。
【００１０】
また本発明のテレビジョン信号受信装置は、上記のオートチューニング方法を備えたことを特徴とするものである。
【００１１】
また本発明は上記のテレビジョン信号受信装置において、オートチューニングを実行させるためのメニューを備えたことを特徴とするものである。
【００１２】
また本発明は上記のテレビジョン信号受信装置において、設置時に最初に電源を投入した場合にオートチューニングを開始することを特徴とするものである。
【発明の効果】
【００１３】
本発明のオートチューニングによれば、映像信号が検出された場合のみ音声信号の有無を判断し、且つ音声信号を検出する際に各テレビシステムを順に変更して検索しているので複数のテレビシステムを考慮しつつ、検索時間を大幅に短縮することができる。
【００１４】
また本発明のオートチューニングによれば、標準周波数で映像信号を受信できない場合にチューナの受信設定を変更することにより、電波環境によって標準周波数から数ＭＨｚずれている周波数でも受信可能となる。
【００１５】
また。本発明のオートチューニングによれば、ＡＦＴ出力電圧がＨからＬになったときの周波数を最適チューニング値として受信設定することにより、最適な受信設定が得られる。
【発明を実施するための最良の形態】
【００１６】
図１は、テレビジョン信号受信装置１０の概略構成を示すブロック図である。アンテナ１１を介してチューナ１２に入力されたテレビ信号は、チューナ１２により選択され、音声信号と映像信号ＣＶＢＳ（コンポジット信号）に分けられる。音声回路１３において、入力された音声信号を増幅し、検波し、スピーカ１４へ出力する。スピーカ１４は音声を出力する。
【００１７】
分離部１５は、入力された映像信号ＣＶＢＳを、輝度信号Ｙとカラー信号Ｃとに分離しデコーダ１６に対して両信号Ｙ、Ｃを出力する。デコーダ１６は入力された両信号Ｙ、Ｃをデコード（解読）して映像信号を出力する。映像信号は例えば、複合同期信号ＣＳと、水平同期信号Ｈと、垂直同期信号Ｖと、色信号Ｒ、Ｇ、Ｂ等からなる。
【００１８】
ＡＤ変換部１７は、映像信号をデジタル信号に変換するものである。ＡＤ変換部は１７は、垂直同期信号Ｖを出力タイミングに用い、選択器１８に対し、デジタル化された水平同期信号Ｈ１を出力する。また、ＡＤ変換部１７は、処理部１９に対し、デジタル化されたインターレース信号Ｉを出力する。
【００１９】
選択器１８は、入力された複合同期信号ＣＳと、デジタル化された水平同期信号Ｈ１とのどちらかを選択し、信号処理部２０に対し、選択された水平同期信号ＧＨを出力する。
【００２０】
処理部１９は画像処理用の集積回路素子（ＩＣ）等からなる。処理部１９は、入力されたインターレース信号Ｉをプログレシブ（順次）信号Ｐに変換し、信号処理部２０に対しプログレシブ信号Ｐを出力する。
【００２１】
信号処理部２０は、スケーラ用のＩＣ等からなる。信号処理部２０は、液晶表示部（以下、ＬＣＤと記す）２１の画面の大きさに応じて、入力されたプログレシブ信号Ｐを拡大または縮小した画像信号Ｄを、ＬＣＤ２１に対して出力する。
【００２２】
ＬＣＤ２１は、図示しない液晶パネルと走査用駆動回路と信号用駆動回路等からなる。ＬＣＤ２１は、入力された画像信号Ｄに基づいて画像を表示する。
【００２３】
ＡＤ変換部１７と、選択器１８と、処理部１９と、信号処理部２０とで処理手段２２が構成される。
【００２４】
制御部２３はマイクロコンピュータ等からなる。制御部２３の端子は、分離部１５と、デコーダ１６と、処理手段２２との各制御端子に個別に接続されている。
【００２５】
操作部２４は、図示しないパワーキー等からなり、制御部２３に接続されている。また記憶部２５はＥＥＰＲＯＭ等の書き換え可能な記憶装置からなり、チューナ１２の受信設定等を格納する。
【００２６】
以下に、上記のテレビジョン信号受信装置１０のオートチューニング機能について説明する。オートチューニングはテレビジョン信号受信装置１０の設置時に仕向地で受信可能な放送局を自動で検索・設定する機能である。
【００２７】
図２は、オートチューニング時のテレビジョン信号受信装置１０の動作を示すフローチャートである。オートチューニング開始の指示があると、まずステップＳ１０において、スピーカ１４や、図示しないヘッドフォン、オーディオアウト等、外部への音声出力を消音する。放送局の検索時のサンドストームで生じる音声により、ユーザを不快にさせないためである。
【００２８】
次にステップＳ１１へ進んで、指示がオートチューニングかオートアップデートかを判別する。オートチューニングは全ての放送局（以下、ＣＨと記すことがある）について新たに受信設定するものである。一方、オートアップデートは変更が必要なＣＨの受信設定のみを設定変更するものである。
【００２９】
ステップＳ１１において、オートチューニングである場合は、ステップＳ１２へ進んで記憶部２５に記憶されているチューナ１２の受信設定を全て消去し、ステップＳ１３へ進む。一方、ステップＳ１１においてオートアップデートである場合は、記憶部２５の受信設定の内容を保持したままステップＳ１３へ進む。
【００３０】
ステップＳ１３ではチューナ１２の受信設定を行う。受信設定にはＣＨやテレビシステムの設定が含まれる。例えば中国においては、ＣＨ０１、テレビシステム：Ｄ／Ｋから開始すればよい。
【００３１】
受信設定が終わると、ステップＳ１４へ進んで設定したＣＨの映像信号の有無を検出する。ステップＳ１４において映像信号が検出されると、最適な受信周波数を見つけ出すためステップＳ１５へ進んでＡＦＴを実行する。ＡＦＴの詳細は後述する。一方、ステップＳ１４において映像信号が検出されない場合は、標準周波数の近辺を探すためにステップＳ１６を経てステップＳ１７でＡＦＣを実行する。ＡＦＣの詳細は後述する。
【００３２】
映像信号が検出され、ＡＦＴで最適な周波数に受信設定されると、ステップＳ１８へ進んで音声信号の有無を検出する。例えば音声方式は最初Ｄ／Ｋに設定されていると、その方式に音声信号が一致しているか否かを判別する。
【００３３】
ステップＳ１８において音声信号が検出されると、受信設定したテレビシステム（例えばＤ／Ｋ）で放送されていると判断して、ステップＳ１９へ進んで、現在のチューナの受信設定を選局ボタン（以下に、ＰＲと記すことがある）に対応させて記憶部２５に記憶する。例えばＣＨ０１に対応してＰＲ０１とする。なお、ＰＲの番号はユーザの所望の番号に変更することができる。これにより、例えばＣＨ０１のチューニングが完了する。
【００３４】
一方、ステップＳ１８において音声信号が検出されない場合は、受信設定したテレビシステムと放送とが一致していないと判断して、ステップＳ２０へ進んでチューナの受信設定のテレビシステムを変更する。そして再びステップＳ１８に戻って音声信号の有無を検出する。例えば中国ではＤ／Ｋ，Ｉ，Ｍ方式と変更することができる。
【００３５】
ステップＳ１９からステップＳ２１へ進んで、全てのＣＨのチューニングが完了していなければステップＳ１３に戻り他のＣＨについても同様にチューニングを行う。ステップＳ２１で全てのＣＨの検索が完了していれば、オートチューニングを終了して、ステップＳ２２へ進んで例えばＰＲ０１を選局してＬＣＤ２１に受信画像を表示するとともに、ステップＳ１０で行った消音処理を解除する。
【００３６】
このようなオートチューニングにより、複数のテレビシステムを考慮しつつ、オートチューニングに要する時間を短縮することができる。例えば中国の場合は、ＣＨが９８局あり、テレビシステムが３方式ある。従って、従来のオートチューニングのように、各テレビシステムについて、全てのＣＨを検索すると、９８の３倍、即ち２９４回だけ、チューナの受信設定を変更して検索しなければならない。もし、１つのＣＨ毎に１秒間の検索時間を必要とすると、２９４秒（約５分）要することになる。ところが、本発明のオートチューニング方法によれば、映像信号が検出された場合のみ音声信号の有無を判断し、且つ音声信号を検出する際に各テレビシステムを順に変更して検索しているので、９８局を１順で検索でき、検索時間を大幅に短縮している。
【００３７】
次に、ステップＳ１５のＡＦＴについて説明する。ＡＦＴは映像信号が検出された場合に、チューナ１２の設定周波数を少しずつずらして、最適な受信周波数を見つける処理である。例えば標準周波数から＋２．０ＭＨｚ，−０．５ＭＨｚの範囲でずらすようにすることができる。図３はＡＦＴの処理を示すフローチャートである。まずステップＳ３０においてＡＦＴ出力電圧が閾値よりも上（Ｈ）か下（Ｌ）かを判別する。閾値は、例えばＡＦＴ出力電圧が５０％（−６ｄＢ）の値とすることができる。
【００３８】
ステップＳ３０においてＨの場合は、ステップＳ３１へ進んでチューナ１２の設定周波数を所定値上げ、ステップＳ３２へ進む。なお、所定値としては例えば＋５０ｋＨｚとすることができる。次にステップＳ３２において所定値上げた設定周波数についてＨかＬかを判別する。
【００３９】
ステップＳ３２においてＨの場合は、まだ最適周波数でないと判断してステップＳ３１へ戻る。一方、ステップＳ３２においてＬの場合、つまり、閾値を上（Ｈ）から下（Ｌ）へ跨いだ場合は、最適周波数が見つかったと判断して、ステップＳ３３へ進んでステップＳ３１で変更後の設定周波数を最適チューニング値として採用する。
【００４０】
一方、ステップＳ３０においてＬの場合は、ステップＳ３４へ進んでチューナ１２の設定周波数を所定値下げ、ステップＳ３５へ進む。なお、所定値としては、例えば−５０ｋＨｚとすることができる。次にステップＳ３５において所定値下げた設定周波数についてＨかＬかを判別する。
【００４１】
ステップＳ３５においてＬの場合は、まだ最適周波数でないと判断してステップＳ３４へ戻る。一方、ステップＳ３５においてＨの場合、つまり、閾値を下（Ｌ）から上（Ｈ）へ跨いだ場合は、最適周波数が見つかったと判断して、ステップＳ３６へ進んでステップＳ３４で変更直前の設定周波数を最適チューニング値として採用する。
【００４２】
このようなＡＦＴにより、ＡＦＴ出力電圧がＨからＬになったときの周波数を最適チューニング値として採用することができ、最適な受信設定が得られる。
【００４３】
次に、ステップＳ１７のＡＦＣについて説明する。ＡＦＣは映像信号が検出されない場合に、チューナ１２の設定周波数を該当するＣＨの周波数の範囲内でＡＦＴよりも大きく（数ＭＨｚ）ずらして、受信可能な周波数を見つける処理である。
【００４４】
具体的には、標準周波数から−１．５ＭＨｚ，＋１．５ＭＨｚ，−３．０ＭＨｚ，又は＋３．０ＭＨｚずらした周波数にチューナ１２の設定を変更してステップＳ１４で映像信号の有無を判別する。上記のように設定周波数を４回ずらして検索しても受信できない場合、つまりステップＳ１６を通過するのが５回目のときは、当該ＣＨは受信不可能と判断してステップＳ１６からステップＳ２１へ進む。なお、ずらした周波数の値と回数は上記に限定されることはない。それに応じてステップＳ１６の回数も変化する。
【００４５】
このようなＡＦＣにより、電波環境によって標準周波数から数ＭＨｚずれている周波数でも受信可能となる。
【００４６】
なお、上記の実施形態において、オートチューニング中は、現在チューニング中のＣＨの映像を表示する。映像信号がない場合はサンドストームを表示する。また、オートチューニング中はプログレスバーも重ねて表示し、検索する全てのＣＨに対しての完了した割合を表示する。
【００４７】
なお本発明において、オートチューニングの開始を指示する方法としては、オートチューニング開始を選択するメニューを備えるようにしたり、テレビジョン信号受信装置１０の設置時に最初に電源を投入した時に自動で開始するようにしたりすることができる。前者によると、引越し等で電波環境の異なる仕向地に設置しなおした場合に対応することができる。また後者によると、ユーザが取扱説明書を読んでメニュー画面からオートチューニングを実行させる手間を省くことができる。
【産業上の利用可能性】
【００４８】
本発明のオートチューニング方法は、複数の音声方式に対応したテレビジョン信号受信装置に用いることができる。
【図面の簡単な説明】
【００４９】
【図１】本発明のテレビジョン信号受信装置の概略構成を示すブロック図である。
【図２】本発明のオートチューニング時のテレビジョン信号受信装置の動作を示すフローチャートである。
【図３】本発明のＡＦＴの処理を示すフローチャートである。
【符号の説明】
【００５０】
１０  テレビジョン信号受信装置
１１  アンテナ
１２  チューナ
１３  音声回路
１４  スピーカ
１５  分離部
１６  デコーダ
１７  ＡＤ変換部
１８  選択器
１９  処理部
２０  信号処理部
２１  液晶表示部（ＬＣＤ）
２２  処理手段
２３  制御部
２４  操作部
２５  記憶部
【図１】
2005236761.tif 000003
【図２】
2005236761.tif 000004
【図３】
2005236761.tif 000005